(57)【要約】      （修正有）【課題】弾性嵌め止め部材の軸方向の位置決めを行う可変多環減光式偏光フィルターユニットを提供する。【解決手段】可変多環減光式偏光フィルターユニットは、内部に第１偏光フィルターＡを固設し、一端がカメラレンズ鏡筒の前縁部に螺着されることができ、他端面が軸方向に沿って少なくとも１つの収容溝７１２０を凹設し、弾性嵌め止め部材７１３を取り付け、弾性嵌め止め部材７１３が自由端を収容溝７１２０に露出させることができる、若しくはその自由端が外力を受けたことにより収容溝７１２０内に嵌め込むことができる固定環７１と、第２偏光フィルターＢを固設し、固定環７１の他端に枢着し、端面が周方向に沿って、弾性嵌め止め部材７１３の自由端を当接溝７２２１内に当接させる第１枢着環７２とを含む。【選択図】図９
2018028657.tif 000002
【特許請求の範囲】
【請求項１】
中空状を呈する円環枠で、その一端が軸方向に沿って螺接環を凸設し、前記螺接環の径方向外縁にねじ部を設け、前記螺接環のねじ部がカメラレンズ鏡筒の前縁部に凹設されたねじ部と螺接できることで、固定環の一端を前記カメラレンズ鏡筒の前縁部に螺着させ、固定環の他端の端面が軸方向に沿って少なくとも１つの収容溝を凹設し、前記収容溝内に弾性嵌め止め部材を取り付け、前記弾性嵌め止め部材が自体の弾性力により、その自由端を前記収容溝に露出させることができる、若しくは前記弾性嵌め止め部材はその自由端が外力を受けたことにより前記収容溝内に嵌め込むことができる固定環と、
前記固定環内の中空状に対応する位置に固設される第１偏光フィルターと、
中空状を呈する円環枠で、その一端が前記固定環の他端に枢着し、その一端の端面が前記固定環の他端の端面に対応し、且つ周方向に沿って一周の当接部を設け、前記当接部が複数の当接溝或いは凸歯から周方向に沿って間隔をあけて配列されてからなり、前記弾性嵌め止め部材の自由端を前記当接部上のいずれかの当接溝内或いは任意の２つの互いに隣接する凸歯間に嵌め止めて当接させることができる第１枢着環と、
前記第１枢着環内の中空状に対応する位置に固設される第２偏光フィルターと、
を含む弾性嵌め止め部材の軸方向の位置決めを介した可変二環減光式偏光フィルターユニットであって、
こうして、前記第１枢着環を前記固定環に対して回転させた時、前記第２偏光フィルターが調整されて前記第１偏光フィルターに対して回転でき、従って前記第１偏光フィルター及び前記第２偏光フィルターが共に異なる減光量効果を生じさせることができ、この場合、前記固定環上の前記弾性嵌め止め部材の自由端が前記第１枢着環上の前記当接部のいずれかの当接溝内或いは任意の２つの互いに隣接する凸歯間に嵌め止めて当接できるため、前記減光量効果の安定性を確保でき、揺れ又は振動により逸脱させるようなことが起きないことを特徴とする可変二環減光式偏光フィルターユニット。
【請求項２】
前記固定環の周方向外縁表面は、粗面を呈し、且つ前記固定環の外径が前記螺接環の外径より大きいことを特徴とする請求項１に記載の可変二環減光式偏光フィルターユニット。
【請求項３】
前記固定環の周方向外縁表面の前記第１枢着環に近い部位が平滑面を呈し、前記平滑面の外径が前記固定環上の前記粗面の外径より小さいことを特徴とする請求項２に記載の可変二環減光式偏光フィルターユニット。
【請求項４】
前記第１枢着環の周方向外縁表面は、粗面を呈し、且つ外径が前記固定環上の前記平滑面部位の外径より大きいことを特徴とする請求項３に記載の可変二環減光式偏光フィルターユニット。
【請求項５】
前記第１枢着環の他端の端面は、粗面を呈することを特徴とする請求項３に記載の可変二環減光式偏光フィルターユニット。
【請求項６】
前記当接部上に位置決め溝を更に凹設し、前記位置決め溝の溝深さは前記当接溝の溝深さ或いは任意の２つの互いに隣接する凸歯間の歯深さより深く、前記弾性嵌め止め部材の自由端がその中に嵌め止め且つ位置決めすることで、前記第１枢着環を前記固定環と位置決めして一体となるために用いられ、前記第２偏光フィルター及び前記第１偏光フィルター間の偏光角の交角の大きさを入射光の最大透過率に維持させ、且つカメラの揺れ又は前記第１枢着環への誤接触により最小減光量を逸脱することが起きず、逆に、減光量を調整する強光撮像環境において、前記弾性嵌め止め部材の自由端を前記位置決め溝との嵌め止め、位置決め関係から離脱させ、前記第１枢着環を前記固定環に対して回転させると、迅速且つ効果的に前記第２偏光フィルター及び前記第１偏光フィルター間の偏光角の交角の大きさを調整できることを特徴とする請求項１、２、３、４又は５に記載の可変二環減光式偏光フィルターユニット。
【請求項７】
前記弾性嵌め止め部材は、バネと鋼球とを含み、前記バネ及び前記鋼球が順次に前記収容溝に組み込まれ、前記鋼球が前記バネの弾性力により、前記収容溝から露出させて前記当接部上のいずれかの当接溝内或いは任意の２つの互いに隣接する凸歯間に嵌め止めて当接し、又は前記位置決め溝内に嵌め止めし且つ位置決めし、若しくは前記鋼球が前記第１枢着環一端の端面から加えた外力を受けたことにより、前記収容溝内に嵌め込ませることができることを特徴とする請求項６に記載の可変二環減光式偏光フィルターユニット。
【請求項８】
前記第１枢着環の内径は、前記固定環の内径より大きく、なお前記第２偏光フィルターの外径が前記第１偏光フィルターの外径より大きくすることを特徴とする請求項７に記載の可変二環減光式偏光フィルターユニット。
【請求項９】
中空状を呈する円環枠で、その一端が軸方向に沿って螺接環を凸設し、前記螺接環の径方向外縁にねじ部を設け、前記螺接環のねじ部がカメラレンズ鏡筒の前縁部に凹設されたねじ部と螺接できることで、固定環の一端を前記カメラレンズ鏡筒の前縁部に螺着させる固定環と、
中空状を呈する円環枠で、その一端が前記固定環の他端に枢着し、その他端の端面が軸方向に沿って少なくとも１つの収容溝を凹設し、前記収容溝内に弾性嵌め止め部材を取り付け、前記弾性嵌め止め部材が自体の弾性力により、その自由端を前記収容溝に露出させることができる、若しくは前記弾性嵌め止め部材はその自由端が外力を受けたことにより前記収容溝内に嵌め込むことができる第１枢着環と、
前記第１枢着環内の中空状に対応する位置に固設される第１偏光フィルターと、
中空状を呈する円環枠で、その一端が前記第１枢着環の他端に枢着し、その一端の端面が前記第１枢着環の他端の端面に対応し、且つ周方向に沿って一周の当接部を設け、前記当接部が複数の当接溝或いは凸歯から周方向に沿って間隔をあけて配列されてからなり、前記弾性嵌め止め部材の自由端を前記当接部上のいずれかの当接溝内或いは任意の２つの互いに隣接する凸歯間に嵌め止めて当接させることができる第２枢着環と、
前記第２枢着環内の中空状に対応する位置に固設される第２偏光フィルターと、
を含む弾性嵌め止め部材の軸方向の位置決めを介した可変三環減光式偏光フィルターユニットであって、
こうして、前記第１枢着環及び前記第２枢着環を共に前記固定環に対し回転させた時、前記第１偏光フィルター及び前記第２偏光フィルターを共に回転させることで、共に異なる偏光効果を生じさせ、前記第２枢着環が前記第１枢着環に対して回転した時、前記第２偏光フィルターが調整されて前記第１偏光フィルターに対して回転でき、従って前記第１偏光フィルター及び前記第２偏光フィルターが共に異なる減光量効果を生じさせることができ、この場合、前記第１枢着環上の前記弾性嵌め止め部材の自由端が前記第２枢着環上の前記当接部のいずれかの当接溝内或いは任意の２つの互いに隣接する凸歯間に嵌め止めて当接できるため、前記減光量効果の安定性を確保でき、揺れ又は振動により逸脱させるようなことが起きないことを特徴とする可変三環減光式偏光フィルターユニット。
【請求項１０】
前記固定環の周方向外縁表面は、粗面を呈し、且つ前記固定環の外径が前記螺接環の外径より大きいことを特徴とする請求項９に記載の可変三環減光式偏光フィルターユニット。
【請求項１１】
前記第１枢着環上の前記固定環に近い部位の周方向外縁表面は、粗面を呈することを特徴とする請求項１０に記載の可変三環減光式偏光フィルターユニット。
【請求項１２】
前記第１枢着環上の前記固定環から離れた部位の周方向外縁表面は、平滑面を呈し、前記平滑面部位の外径が前記第１枢着環の粗面部位の外径より小さいことを特徴とする請求項１１に記載の可変三環減光式偏光フィルターユニット。
【請求項１３】
前記第２枢着環の周方向外縁表面は、粗面を呈し、且つ外径が前記第１枢着環上の前記平滑面部位の外径より大きいことを特徴とする請求項１２に記載の可変三環減光式偏光フィルターユニット。
【請求項１４】
前記第２枢着環の他端の端面は、粗面を呈することを特徴とする請求項１２に記載の可変三環減光式偏光フィルターユニット。
【請求項１５】
前記当接部上に位置決め溝を更に凹設し、前記位置決め溝の溝深さは前記当接溝の溝深さ或いは任意の２つの互いに隣接する凸歯間の歯深さより深く、前記弾性嵌め止め部材の自由端がその中に嵌め止め且つ位置決めすることで、前記第２枢着環を前記第１枢着環と位置決めして一体となるために用いられ、前記第２偏光フィルター及び前記第１偏光フィルター間の偏光角の交角の大きさを入射光の最大透過率、すなわち最小減光量に維持させ、減光量を調整する必要のない撮像環境に適させ、共に回転して異なる偏光効果が生じ、且つカメラの揺れ又は前記第１枢着環或いは第２枢着環への誤接触により前記最小減光量を逸脱することが起きず、逆に、減光量を調整する強光撮像環境において、前記弾性嵌め止め部材の自由端を前記位置決め溝との嵌め止め、位置決め関係から離脱させ、前記第２枢着環を前記第１枢着環に対して回転させると、迅速且つ効果的に前記第２偏光フィルター及び前記第１偏光フィルター間の偏光角の交角の大きさを調整できることで、減光量を大幅に調整して、特殊な強光撮像環境に適合させることができることを特徴とする請求項９、１０、１１、１２、１３又は１４に記載の可変三環減光式偏光フィルターユニット。
【請求項１６】
前記弾性嵌め止め部材は、バネと鋼球とを含み、前記バネ及び前記鋼球が順次に前記収容溝に組み込まれ、前記鋼球が前記バネの弾性力により、前記収容溝から露出させて前記当接部上のいずれかの当接溝内或いは任意の２つの互いに隣接する凸歯間に嵌め止めて当接し、若しくは前記鋼球が前記第２枢着環一端の端面から加えた外力を受けたことにより、前記収容溝内に嵌め込ませることができることを特徴とする請求項１５に記載の可変三環減光式偏光フィルターユニット。
【請求項１７】
前記第２枢着環の内径は、前記第１枢着環の内径より大きく、なお前記第２偏光フィルターの外径が前記第１偏光フィルターの外径より大きくすることを特徴とする請求項１６に記載の可変三環減光式偏光フィルターユニット。
【発明の詳細な説明】
【技術分野】
【０００１】
本発明は、多環減光式偏光フィルターユニットに関し、特に、その中に設けられた２つの偏光フィルターが使用者の必要性に応じて、互いに対応するよう回転できることで、異なる減光量を簡単に調整し、また減光量を所要の減光値に安定して固定し、従って使用上の利便性、正確性、安定性及び実用性を効果的に向上する弾性嵌め止め部材の軸方向の位置決めを介した可変多環減光式偏光フィルターユニットに関する。
【背景技術】
【０００２】
デジタルテクノロジーの急速な発展につれ、各種デジタル製品は、機能と性能上において絶え間なく向上しているだけでなく、更に販売価格の値下がりと共に徐々に普及し、現在のデジタルカメラを例にすると、リアルタイム現像の利点を持ち、且つデジタル方式で画像を保存し、消費者が撮影した画像を便利に見ると共に選別させるだけでなく、消費者がその後の画像処理及び共有にも便利になった。上記で述べた諸々の利点によれば、デジタルカメラは、すでに幅広い消費者の好意度を得て、コンシューマデジタル製品内において一躍人気者になり、近年、誰でも１台を手に入れる普及段階に達し、それと同時に、デジタルカメラ市場の急速な発展に伴い、撮影周辺機材の市場にも無限のビジネスチャンスをもたらした。
【０００３】
一般的に、消費者がデジタルカメラで撮像する時、各種異なる画像効果を得るため、例えばディフューザー、スターレンズ、偏光フィルター、減光フィルター或いは各カラーフィルター等の各種異なる効果のフィルターを準備する。図１を参照すると、それらフィルターＦは、カメラレンズ鏡筒Ｌの前縁部に取り付けられることができ、且つ該カメラレンズ鏡筒Ｌと一緒にデジタルカメラＣに取り付けられることで、使用者が該デジタルカメラＣで撮像する時、特殊効果のある画像を得ることができる。しかしながら、各種画像処理ソフトウェアの進歩に伴い、前記に述べた諸々のフィルターが強大なデジタルテクノロジーによって徐々に取って代わられてきたが、偏光フィルター及び減光フィルターは、現在でも取って代わられることが非常に難しい。減光フィルターは文字通り光透過率を減らすことができるフィルターであり、一般的に光透過率の高さによって減光フィルターは、幾つかの異なる規格に分けることができる。消費者は、撮影時の実際の需要に応じてレンズ鏡筒上に規格の異なる単一或いは複数の減光フィルターを追加で取り付けることで、レンズを透過する光量を適切に低下し、光源が比較的強い環境で撮影でき、又は特殊な撮影テクニック（例：グレーカードの方式でコントラストが高い環境において均一な露出を得る）の操作の便宜を図る。偏光フィルターは、光の偏り、振動原理に基づいて製造されたフィルターで、平行に配列された格子状結晶を具え、偏光フィルターを回してその格子状結晶の角度を調整すると、特定の偏光角の光透過量を調節できる。消費者がレンズ鏡筒上に偏光フィルターを追加で取り付けると共に偏光フィルターの角度を適切に調整した時、物体表面（例：水面、ショーケースのガラス或いは植物の葉の表面）の逆光を効果的に消すことで、理想な撮影効果を得ることができる。
【０００４】
従来、特定の規格の減光フィルターは、特定の程度の光透過率に対応するため、消費者が別々に購入すると共に規格の異なる減光フィルターを携帯することで、異なる撮影環境の光強度に対応して、レンズ鏡筒上に規格の異なる減光フィルターを各々取り付ける。前記方法は、消費者に購買コスト上の負担を与えるだけでなく、且つ携帯においても非常に不便となり、また消費者は、繰り返し減光フィルターを取り外しや交換しなければならないため、消費者のカメラ操作の利便性が更に大幅に低下する。従来の偏光フィルター自体でも一定程度の減光効果を奏することができるが、偏光フィルターは、専ら減光機能のために設計されたフィルターではないため、減光フィルターに直接取って代わることができず、次に、異なる撮影環境の光強度に対応するため、消費者が偏光フィルターを使用する時、やはり常に規格の異なる減光フィルターを組み合わせて撮影する必要があった。
【０００５】
前記欠点を改善するため、発明者は、かつて名称が「可変多環減光式偏光フィルター」を開発し、且つ技術的解決策で、特許文献１の実用新案権を取得した。前記可変多環減光式偏光フィルターは、実際「三環減光式偏光フィルターユニット」であり、固定環と第１枢着環と第２枢着環とを含み、該固定環の一端がカメラレンズ鏡筒の前縁部に固定されることができ、該第１枢着環の内部に第１偏光フィルターを固設しており、該第１枢着環の一端が該固定環の他端と互いに枢着でき、該第２枢着環の内部に第２偏光フィルターを固設しており、該第２枢着環の一端が該第１枢着環の他端と互いに枢着できる。該第１枢着環及び該第２枢着環は、各々互いに独立してカメラレンズ鏡筒に対して回転できるため、従ってその内部に固設されている該第１偏光フィルター及び該第２偏光フィルターを互いに対応するように回転させることができ、こうすると、消費者は当該第１枢着環及び第２枢着環を各々回転させることによって、当該第１偏光フィルター及び第２偏光フィルターの偏光角を調整でき、なお、それら偏光フィルター間の偏光角の交角の大きさを変更することによって、入射光の透過率を調整することで、単一のフィルターユニットを利用して速やかにかつ効果的に異なる減光量の大きさの撮像効果の調整を実現できる。該技術的解決札を応用した製品は、世に出すばかり、すぐに幅広い撮影愛好家の注目を浴び、且つ迅速に市場上の良好な反響を得た。従来の各種フィルターと比較すると、前記「三環減光式偏光フィルターユニット」の利便性と実用性において、顕著な向上があるが、発明者はこれに自己満足せず、やはりより一層利便性と実用性を持つ減光式偏光フィルターユニットを更に設計することで、幅広い同じ趣味を持つ撮影仲間にフィードバックしていく。
【０００６】
長年にわたって、発明者は、該「三環減光式偏光フィルターユニット」を自ら使用する以外に、更に同じ趣味を持つ仲間に対し各種撮影の感想と経験を積極的に共有し、前記に述べた過程中において前記「三環減光式偏光フィルターユニット」は消費者が入射光の透過率を自由に調節できるだけでなく、且つ同時に偏光フィルターにより特定の偏光を選別する効果を持っているが、消費者は大部分の撮像環境において、減光量を調整する必要がなく、特定偏光の通過角度を調整することで、被写物表面（如：水面、ショーケースのガラス或いは植物の葉の表面）の逆光を効果的に消して理想な撮影効果を得ようとしたが、前記「三環減光式偏光フィルターユニット」で偏光角を調節した時、該第１枢着環及び該第２枢着環が各々互いに独立してカメラレンズ鏡筒に対し回転できるよう設計され、かつ両者が隣り合っていることにより、該第１枢着環（或いは該第２枢着環）を回した時、極めて該第２枢着環（或いは該第１枢着環）に誤って接触しやすく、若しくは該第１枢着環と該第２枢着環を安定な同時回転に保つことができないことで、それら偏光フィルター間の偏光角の交角の大きさを固定値に終始保つことができないことで、やはり減光量を予想した一定の減光量に維持することができないため、撮像の品質及びその効果を損なっていた。
【０００７】
これにより、前記減光式偏光フィルターユニットが持つ利便性を保つだけではなく、その中に設けられた２つの偏光フィルターが、使用者の需要に応じて、共に安定してカメラレンズ鏡筒に対して回転でき、一定の減光量の状態において、偏光角を調整、又は互いに独立して且つ安定してカメラレンズ鏡筒に対し回転することで、異なる減光量を簡単に調整し、また減光量を所要の減光値に安定して固定し、従って使用上の利便性、正確性、安定性及び実用性を効果的に向上する可変式減光式偏光フィルターユニットをどのように設計するかが、本発明のここで探究が急務な重要課題の一つとなっていた。
【先行技術文献】
【特許文献】
【０００８】
【特許文献１】台湾実用新案第Ｍ４３６８５２号
【発明の概要】
【発明が解決しようとする課題】
【０００９】
従来のフィルター又は前記減光式偏光フィルターユニットは購買コスト、携帯上及び使用上等において諸々の面で改善を必要とする欠陥があることに鑑み、発明者は長年に渡り関連産業を鋭意研究して得た知識及びプロカメラマンとして蓄積した豊富な経験により、設計と改良を重ねた結果、ようやく本発明の弾性嵌め止め部材の軸方向の位置決めを介した可変多環減光式偏光フィルターユニットを開発し、本発明を介して前記各欠陥を一挙に改善し、より一層利便性、正確性、安定性及び実用性を持つ可変多環減光式偏光フィルターユニットを幅広い同じ趣味を持つ撮影仲間に提供できるようにする。
【課題を解決するための手段】
【００１０】
本発明の目的は、弾性嵌め止め部材の軸方向の位置決めを介した可変三環減光式偏光フィルターユニットを提供することであり、該可変三環減光式偏光フィルターユニットは固定環と第１枢着環と第１偏光フィルターと第２枢着環と第２偏光フィルターとを含み、前記固定環が中空状を呈する円環枠で、その一端が軸方向に沿って螺接環を凸設し、該螺接環の径方向外縁にねじ部を設け、該螺接環のねじ部がカメラレンズ鏡筒の前縁部に凹設されたねじ部と螺接できることで、該固定環の一端を該カメラレンズ鏡筒の前縁部に螺着させ、該第１枢着環は、中空状を呈する円環枠で、その一端が該固定環の他端に枢着し、該第１枢着環の他端の端面が軸方向に沿って少なくとも１つの収容溝を凹設し、該収容溝内に弾性嵌め止め部材を取り付け、該弾性嵌め止め部材が自体の弾性力により、その自由端を該収容溝に露出させることができる、若しくは該弾性嵌め止め部材はその自由端が外力を受けたことにより該収容溝内に嵌め込むことができ、該第１偏光フィルターは、該第１枢着環内の中空状に対応する位置に固設され、該第２枢着環は、中空状を呈する円環枠で、その一端が該第１枢着環の他端に枢着し、その一端の端面が該第１枢着環の他端の端面に対応し、且つ周方向に沿って一周の当接部を設け、該当接部が複数の当接溝（或いは凸歯）間から周方向に沿って間隔をあけて配列されてからなり、該弾性嵌め止め部材の自由端を該当接部上のいずれかの当接溝内（或いは任意の２つの互いに隣接する凸歯間）に嵌め止めて当接させることができ、該第２偏光フィルターは、該第２枢着環内の中空状に対応する位置に固設される。こうして減光量を調整する必要のない撮像環境において、該第１枢着環及び該第２枢着環が該弾性嵌め止め部材と各該当接溝（或いは任意の２つの互いに隣接する凸歯間）の嵌め止め、当接作用を通じて、互いに位置決めされて一体となることができるため、該第１枢着環又は該第２枢着環を回させるだけで、該第１枢着環及び該第２枢着環を共に該固定環に対し回転させることができ、従って該第１偏光フィルター及び該第２偏光フィルターを共に回転させることで、共に異なる偏光効果を生じさせ、逆に、減光量を特別に調整する必要のある撮像環境において、該第２枢着環を該第１枢着環に対して回転させるだけで、該第２偏光フィルターが調整されて該第１偏光フィルターに対して回転でき、従って第１偏光フィルター及び該第２偏光フィルター間の偏光角の交角の大きさを迅速且つ効果的に調整し、共に減光量を大幅に調整して所要の減光量効果を生じさせ、特殊な強光撮像環境に適合させることができ、この場合、該第１枢着環上の該弾性嵌め止め部材の自由端が該第２枢着環上の該当接部のいずれかの当接溝内（或いは任意の２つの互いに隣接する凸歯間）に当接できるため、該減光量効果の安定性を確保でき、揺れ又は振動により逸脱させるようなことが起きない。
【００１１】
本発明の別の目的は、弾性嵌め止め部材の軸方向の位置決めを介した可変二環減光式偏光フィルターユニットを提供することであり、該可変二環減光式偏光フィルターユニットは固定環と第１偏光フィルターと第１枢着環と第２偏光フィルターとを含み、前記固定環が中空状を呈する円環枠で、その一端が軸方向に沿って螺接環を凸設し、該螺接環の径方向外縁にねじ部を設け、該螺接環のねじ部がカメラレンズ鏡筒の前縁部に凹設されたねじ部と螺接できることで、該固定環の一端を該カメラレンズ鏡筒の前縁部に螺着させ、該固定環の他端の端面が軸方向に沿って少なくとも１つの収容溝を凹設し、該収容溝内に弾性嵌め止め部材を取り付け、該弾性嵌め止め部材が自体の弾性力により、その自由端を該収容溝に露出させることができる、若しくは該弾性嵌め止め部材はその自由端が外力を受けたことにより該収容溝内に嵌め込むことができ、該第１偏光フィルターは、該固定環内の中空状に対応する位置に固設され、該第１枢着環は、中空状を呈する円環枠で、その一端が該固定環の他端に枢着し、その一端の端面が該固定環の他端の端面に対応し、且つ周方向に沿って一周の当接部を設け、該当接部が複数の当接溝（或いは凸歯）から周方向に沿って間隔をあけて配列されてからなり、該弾性嵌め止め部材の自由端を該当接部上のいずれかの当接溝内（或いは任意の２つの互いに隣接する凸歯間）に嵌め止めて当接させることができ、該第２偏光フィルターは、該第１枢着環内の中空状に対応する位置に固設される。こうして、該第１枢着環を該固定環に対して回転させた時、該第２偏光フィルターが調整されて該第１偏光フィルターに対して回転でき、従って第１偏光フィルター及び該第２偏光フィルターが共に異なる減光効果を生じさせることができ、この場合、該固定環上の該弾性嵌め止め部材の自由端が該第１枢着環上の該当接部のいずれかの当接溝内（或いは任意の２つの互いに隣接する凸歯間）に嵌め止めて当接できるため、該減光量効果の安定性を確保でき、揺れ又は振動により逸脱させるようなことが起きない。
【００１２】
以下、本発明の目的、構造及びその効果を審査官に更に認識と理解してもらうため、実施例を添付図面に基づいて詳細に説明する。
【図面の簡単な説明】
【００１３】
【図１】従来の減光式偏光フィルターユニットをカメラに応用した立体分解図である。
【図２】本発明の第１の好ましい実施例の組立図である。
【図３】第１の好ましい実施例の立体分解図である。
【図４】第１の好ましい実施例の断面図である。
【図５】第１の好ましい実施例内の第１枢着環の一部を示す模式図である。
【図６】第１の好ましい実施例内の第２枢着環の一部を示す模式図である。
【図７】本発明の第２の好ましい実施例の組立意図である。
【図８】第２の好ましい実施例の立体分解図である。
【図９】第２の好ましい実施例の断面図である。
【発明を実施するための形態】
【実施例１】
【００１４】
本発明の第１の好ましい実施例において、図２を参照すると、弾性嵌め止め部材の軸方向の位置決めを介した可変三環減光式偏光フィルターユニット５０を提供することであり、該三環減光式偏光フィルターユニット５０は、カメラレンズ鏡筒Ｌ（図１）に応用され、且つ該カメラレンズ鏡筒Ｌと一緒にカメラＣ（図１）に取り付けられることができる。該第１の好ましい実施例において、図２及び図３を参照すると、該三環減光式偏光フィルターユニット５０は固定環５１と第１枢着環５２と第１偏光フィルターＡと第２枢着環５３と第２偏光フィルターＢとを含み、図３及び図４を参照すると、前記固定環５１が中空状を呈する円環枠で、その一端が軸方向に沿って螺接環５１１を凸設し、該螺接環５１１の径方向外縁にねじ部５１１０を設け、該螺接環５１１のねじ部５１１０が該カメラレンズ鏡筒Ｌの前縁部に凹設されたねじ部と螺接できることで、該固定環５１の一端を該カメラレンズ鏡筒Ｌの前縁部に螺着させ、図３、図４及び図５を参照すると、該第１枢着環５２は、中空状を呈する円環枠で、その一端が該固定環５１の他端に枢着し、該第１枢着環５２の他端の端面５２１が軸方向に沿って少なくとも１つの収容溝５２１０を凹設し、該収容溝５２１０内に弾性嵌め止め部材５２２を取り付け、該弾性嵌め止め部材５２２が自体の弾性力により、その自由端を該収容溝５２１０に露出させることができる、若しくは該弾性嵌め止め部材５２２はその自由端が外力を受けたことにより該収容溝５２１０内に嵌め込むことができ、該第１偏光フィルターＡは、該第１枢着環５２内の中空状に対応する位置に固設され、図３、図４及び図６を参照すると、該第２枢着環５３は、中空状を呈する円環枠で、その一端が該第１枢着環５２の他端に枢着し、その一端の端面５３１が該第１枢着環５２の他端の端面５２１に対応し、且つ周方向に沿って一周の当接部５３２を設け、該当接部５３２が複数の当接溝５３２１（或いは凸歯）から周方向に沿って間隔をあけて配列されてからなり、該弾性嵌め止め部材５２２の自由端を該当接部５３２上のいずれかの当接溝５３２１内（或いは任意の２つの互いに隣接する凸歯間）に嵌め止めて当接させることができ、該第２偏光フィルターＢは、該第２枢着環５３内の中空状に対応する位置に固設される。
【００１５】
こうして減光量を調整する必要のない撮像環境において、該第１枢着環５２及び該第２枢着環５３が該弾性嵌め止め部材５２２の自由端と各該当接溝５３２１（或いは任意の２つの互いに隣接する凸歯間）で生じる嵌め止め、当接作用を通じて、互いに位置決めされて一体となることができるため、使用者が該第１枢着環５２又は該第２枢着環５３を回させるだけで、該第１枢着環５２及び該第２枢着環５３を共に該固定環５１に対し回転させることができ、従って該第１偏光フィルターＡ及び該第２偏光フィルターＢを共に回転させることで、共に異なる偏光角を生じさせ、逆に、減光量を特別に調整する必要のある撮像環境において、使用者は該第１枢着環５２及び該第２枢着環５３を各々掴まて、該第２枢着環５３を該第１枢着環５２に対して回転させるだけで、該第２偏光フィルターＢが調整されて該第１偏光フィルターＡに対して回転でき、従って第１偏光フィルターＡ及び該第２偏光フィルターＢ間の偏光角の交角の大きさを迅速且つ効果的に調整し、共に減光量を大幅に調整して所要の減光量効果を生じさせ、特殊な強光撮像環境に適合させることができ、この場合、該第１枢着環５２上の該弾性嵌め止め部材５２２の自由端が該第２枢着環５３上の該当接部５３２のいずれかの当接溝５３２１内（或いは任意の２つの互いに隣接する凸歯間）に当接できるため、該減光量を所要の減光値に固定させることができ、揺れ又は振動により逸脱させるようなことが起きないことで、安定した減光効果が生じることを確保できる。
【００１６】
該第１の好ましい実施例において、再び図４を参照すると、該固定環５１の内縁に第１嵌着凹溝５１２を設け、該第１枢着環５２の一端に軸方向に沿って第１嵌着環５２３を凸設し、該第１嵌着環５２３の径方向外縁に第１嵌着凸縁５２３０を設け、該第１嵌着凸縁５２３０及び第１嵌着凹溝５１２が、該第１枢着環５２及び固定環５１の自体構造の弾性及び変形を介して互いに嵌め止め且つ枢着して一体となることで、該第１枢着環５２の一端を該固定環５１の他端に枢着させることができる。前記で述べたのは、本発明の好ましい実施例のみであるが、本発明が実際に実施した時、これに限られるものではなく、本発明の他の実施例において、該第１嵌着凹溝５１２が該固定環５１の内縁又は外縁に設けられるか、或いは該第１嵌着凸縁５２３０が該第１嵌着環５２３の外縁又は内縁に設けられかを問わず、該第１嵌着凸縁５２３０及び第１嵌着凹溝５１２が該第１枢着環５２及び固定環５１の自体構造の弾性及び変形を介して互いに嵌め止め且つ枢着して一体化することができるのであれば、均しく本発明のここで言う枢着とする。
【００１７】
再び図４、図５及び図６を参照すると、該第１の好ましい実施例において、該当接部５３２上に位置決め溝５３２２を更に凹設し、該位置決め溝５３２２の溝深さは該当接溝５３２１の溝深さ（或いは任意の２つの互いに隣接する凸歯間の歯深さ）より深く、該弾性嵌め止め部材５２２の自由端がその中に嵌め止め且つ位置決めすることで、該第２枢着環５３を該第１枢着環５２と位置決めして一体となるために用いられ、且つその中に設けられた該第２偏光フィルターＢ及び該第１偏光フィルターＡ間の偏光角の交角の大きさを入射光の最大透過率、すなわち最小減光量に維持させ、大部分の減光量を調整する必要のない撮像環境に適させ、共に回転して異なる偏光角が生じ、且つカメラの揺れ又は該第１枢着環５２或いは第２枢着環５３への誤接触により該最小減光量を逸脱することが起きず、逆に、少数の減光量を特別に調整する強光撮像環境において、該弾性嵌め止め部材５２２の自由端を該位置決め溝５３２２との嵌め止め、位置決め関係から離脱させ、該第２枢着環５３を該第１枢着環５２に対して回転させると、迅速且つ効果的に該第２偏光フィルターＢ及び該第１偏光フィルターＡ間の偏光角の交角の大きさを調整できることで、減光量を大幅に調整して、少数の特殊な強光撮像環境に適合させることができる。
【００１８】
該第１の好ましい実施例において、再び図４、図５及び図６を参照すると、該弾性嵌め止め部材５２２は、バネ５２２１と鋼球５２２２とを含み、該バネ５２２１及び該鋼球５２２２が順次に該収容溝５２１０に組み込まれ、該鋼球５２２２が該バネ５２２１の弾性力により、該収容溝５２１０から露出させて該当接部５３２上のいずれかの当接溝５３２１内（或いは任意の２つの互いに隣接する凸歯間）に嵌め止めて当接し、或いは該位置決め溝５３２２内に嵌め止めし且つ位置決めし、若しくは該鋼球５２２２が該第２枢着環５３の端面５３１から加えた外力を受けたことにより、該収容溝５２１０内に嵌め込ませることができる。
【００１９】
再び図１、図４、図５及び図６を参照すると、該第１の好ましい実施例において、使用者が手の指で掴むため、該固定環５１の周方向外縁表面は粗面５１５を呈し、これをもって該固定環５１を回すことで、該固定環５１が安定して該カメラレンズ鏡筒Ｌの前縁部に固定させることができる。また、該第１枢着環５２及び該第２枢着環５３を互いに独立して回転できるようにさせ、且つ使用者が該第１枢着環５２を回した時に該第２枢着環５３を誤接触し、若しくは該第２枢着環５３を回した時に該第１枢着環５２を誤接触するのを避けるため、該第１枢着環５２の周方向外縁表面の該第２枢着環５３に近い部位が平滑面５２６を呈し、且つ該第２枢着環５３の外径が該第１枢着環５２上の該平滑面５２６の外径より大きく、該第１枢着環５２の周方向外縁表面の該第２枢着環５３から離れた部位が粗面５２５を呈し、且つ該粗面５２５の外径が該平滑面５２６の外径より大きく、なお該第２枢着環５３の周方向外縁表面（或いは他端の端面）は粗面５３４を呈する。また、該第２枢着環５３の内径は、該第１枢着環５２の内径より大きくすることができ、なお該第２偏光フィルターＢの外径が該第１偏光フィルターＡの外径より大きくすることができ、該減光式偏光フィルターユニット５０が広角レンズ（図示せず）に取り付けられることをより一層適させ、該広角レンズで取り込んだ画像の画面上に暗角等が出る問題がなくなる。
【００２０】
こうして、再び図２〜図６を参照すると、使用者が減光量を調整したくなく、偏光量のみを調整したいという撮像環境において、使用者は手の指で該第１枢着環５２又は該第２枢着環５３外縁表面上の粗面５２５或いは５３４を掴むだけで、該第１枢着環５２及び該第２枢着環５３を同時に該固定環５１に対して回転させることで、該第１偏光フィルターＡ及び該第２偏光フィルターＢが共に異なる偏光角を生じさせることができ、この場合、該鋼球５２２２が該位置決め溝５３２２内に嵌め止め且つ位置決めし、使用者は最小減光量の条件において、撮像環境の需要に応じて、偏光効果を単独で調整でき、逆に、減光量を特別に調整する必要のある撮像環境において、使用者は、該第１枢着環５２及び該第２枢着環５３の外縁表面上の粗面５２５及び５３４を各々掴まて、該第２枢着環５３を該第１枢着環５２に対して回転させると、該第２偏光フィルターＢが該第１偏光フィルターＡに対して回転でき、該第１偏光フィルターＡ及び該第２偏光フィルターＢ間の偏光角の交角の大きさを速やかに調整し、減光量を大幅に調整することで、所要の減光量効果が生まれ、この場合、該鋼球５２２２が該第２枢着環５３上の該当接部５３２のいずれかの当接溝５３２１内（或いは任意の２つの互いに隣接する凸歯間）に嵌め止め且つ当接できるため、なお該減光量が必要な減光値に固定されることができ、揺れ或いは振動により逸脱することなく、安定した減光効果が生じるよう確保できる。
【実施例２】
【００２１】
本発明の第２の好ましい実施例において、図７を参照すると、弾性嵌め止め部材の軸方向位置決めを介した可変二環減光式偏光フィルターユニット７０を提供することであり、図８を参照すると、該可変二環減光式偏光フィルターユニット７０は固定環７１と第１偏光フィルターＡと第１枢着環７２と第２偏光フィルターＢとを含み、図１及び図９を参照すると、前記固定環７１が中空状を呈する円環枠で、その一端が軸方向に沿って螺接環７１１を凸設し、該固定環７１の外径が該螺接環７１１の外径より大きく、該螺接環７１１の径方向外縁にねじ部７１１０を設け、該螺接環７１１のねじ部７１１０がカメラレンズ鏡筒Ｌの前縁部に凹設されたねじ部と螺接できることで、該固定環７１の一端を該カメラレンズ鏡筒Ｌの前縁部に螺着させ、該固定環７１の他端の端面７１２が軸方向に沿って少なくとも１つの収容溝７１２０を凹設し、該収容溝７１２０内に弾性嵌め止め部材７１３を取り付け、該弾性嵌め止め部材７１３が自体の弾性力により、その自由端を該収容溝７１２０に露出させることができる、若しくは該弾性嵌め止め部材７１３はその自由端が外力を受けたことにより該収容溝７１２０内に嵌め込むことができ、該第１偏光フィルターＡは、該固定環７１内の中空状に対応する位置に固設され、該第１枢着環７２は、中空状を呈する円環枠で、その一端が該固定環７１の他端に枢着し、その一端の端面７２１が該固定環７１の他端の端面７１２に対応し、且つ周方向に沿って一周の当接部７２２を設け、該当接部７２２が複数の当接溝７２２１（或いは凸歯）から周方向に沿って間隔をあけて配列されてからなり、該弾性嵌め止め部材の自由端を該当接部７２２上のいずれかの当接溝７２２１内（或いは任意の２つの互いに隣接する凸歯間）に嵌め止めて当接させることができ、該第２偏光フィルターＢは、該第１枢着環７２内の中空状に対応する位置に固設される。
【００２２】
こうして該第２の好ましい実施例において、図９を参照すると、該第１枢着環７２を該固定環７１に対して回転させた時、該第２偏光フィルターＢが調整されて該第１偏光フィルターＡに対して回転でき、従って第１偏光フィルターＡ及び該第２偏光フィルターＢが共に異なる減光効果を生じさせることができ、この場合、該固定環７１上の該弾性嵌め止め部材７１３の自由端が該第１枢着環７２上の該当接部７２２のいずれかの当接溝７２２１内（或いは任意の２つの互いに隣接する凸歯間）に嵌め止めて当接できるため、該減光量効果の安定性を確保でき、揺れ又は振動により逸脱させるようなことが起きない。
【００２３】
再び図１及び図９を参照すると、該第２の好ましい実施例において、該当接部７２２上に位置決め溝（図示せず）も凹設し、該位置決め溝の溝深さは該当接溝７２２１の溝深さ（或いは任意の２つの互いに隣接する凸歯間の歯深さ）より深く、該弾性嵌め止め部材７１３の自由端がその中に嵌め止め且つ位置決めすることで、該第１枢着環７２を該固定環７１と位置決めして一体となるために用いられ、且つその中に設けられた該第２偏光フィルターＢ及び該第１偏光フィルターＡ間の偏光角の交角の大きさを入射光の最大透過率、すなわち最小減光量に維持させ、大部分の減光量を調整する必要のない撮像環境に適させ、且つカメラの揺れ又は該第１枢着環７２への誤接触により該最小減光量を逸脱することが起きず、逆に、減光量を特別に調整する強光撮像環境において、該弾性嵌め止め部材７１３の自由端を該位置決め溝との嵌め止め、位置決め関係から離脱させ、該第１枢着環７２を該固定環７１に対して回転させると、迅速且つ効果的に該第２偏光フィルターＢ及び該第１偏光フィルターＡ間の偏光角の交角の大きさを調整できることで、減光量を大幅に調整して、特殊な強光撮像環境に適合させることができる。また、該弾性嵌め止め部材７１３は、バネ７１３１と鋼球７１３２とを含み、該バネ７１３１及び該鋼球７１３２が順次に該収容溝７１２０に組み込まれ、該鋼球７１３２が該バネ７１３１の弾性力により、該収容溝７１２０から露出させて該当接部７２２上のいずれかの当接溝７２２１内（或いは任意の２つの互いに隣接する凸歯間）に嵌め止めて当接し、或いは該位置決め溝内に嵌め止めし且つ位置決めし、若しくは該鋼球７１３２が該第１枢着環７２の端面７２１から加えた外力を受けたことにより、該収容溝７１２０内に嵌め込ませることができる。また、該第２の好ましい実施例において、使用者が手の指で掴むため、該固定環７１の周方向外縁表面は粗面７１５を呈し、これをもって該固定環７１を回すことで、該固定環７１が安定して該カメラレンズ鏡筒Ｌの前縁部に固定させることができる。該第１枢着環７２を独立して回転できるようにさせ、且つ使用者が該第１枢着環７２を回した時に該固定環７１を誤接触するのを避けるため、該固定環７１の周方向外縁表面の該第１枢着環７２に近い部位が平滑面７１６を呈し、該平滑面７１６の外径が該固定環７１上の該粗面７１５の外径より小さく、該第１枢着環７２の外径が該固定環７１上の該平滑面７１６の外径より大きく、且つ該第１枢着環７２の周方向外縁表面（又は他端の端面）は粗面７２４を呈する。
【００２４】
以上に述べたものは、本発明の若干の好ましい実施例であって、本発明が主張する権利範囲はこのような実施例のみに限定されるべきものではなく、当業者が本発明に開示している技術内容に基づいて、容易に想到できる種々の修正及び変更は、均しく本発明の保護範囲に含めるものであるのが勿論である。
【符号の説明】
【００２５】
５０、７０  減光式偏光フィルターユニット
５１、７１  固定環
５１１、７１１  螺接環
５１１０、７１１０  ねじ部
５１２  第１嵌着凹溝
５１５、５２５、５３４、７１５、７２４  粗面
５２、７２  第１枢着環
５２１０、７１２０  収容溝
５２１、５３１、７１２、７２１  端面
５２２、７１３  弾性嵌め止め部材
５２２１、７１３１  バネ
５２２２、７１３２  鋼球
５２３  第１嵌着環
５２３０  第１嵌着凸縁
５２６、７１６  平滑面
５３  第２枢着環
５３２、７２２  当接部
５３２１、７２２１  当接溝
５３２２  位置決め溝
Ａ  第１偏光フィルター
Ｂ  第２偏光フィルター
Ｃ  カメラ
Ｆ  フィルター
Ｌ  カメラレンズ鏡筒
【図１】
2018028657.tif 000003
【図２】
2018028657.tif 000004
【図３】
2018028657.tif 000005
【図４】
2018028657.tif 000006
【図５】
2018028657.tif 000007
【図６】
2018028657.tif 000008
【図７】
2018028657.tif 000009
【図８】
2018028657.tif 000010
【図９】
2018028657.tif 000011